(57)【要約】  水処理装置１は、搬送可能なコンテナ７ａ〜７ｃに水処理部８ａ〜８ｃが搭載（収容）されたブロック２ａ〜２ｃとなっているので、水処理部８ａ〜８ｃを事前に組み立てて施工現場に搬送することで、水処理装置１の主要な構造を簡単に施工現場に構築できる。そして、被処理水の濾過等といった水処理を実施する水処理部８ａ〜８ｃをブロック２ａ〜２ｃ毎に具備しているため、ブロック２ａ〜２ｃの設置数によって水処理能力を変更できる。このように、水処理部８ａ〜８ｃを有するブロック２ａ〜２ｃの増減を容易に行うことができるので、所望の水処理能力に応じて施工現場での設置作業及び撤去作業を容易に行うことが可能となる。
2010084961.tif 000002
【特許請求の範囲】
【請求項１】
被処理水を濾過して処理水を生成する水処理装置において、
搬送可能なベースと、当該ベース上に搭載され前記被処理水を濾過して前記処理水を生成する水処理部とから構成されるユニット構造体を備え、
前記水処理部は濾過膜モジュールと逆浸透膜モジュールとを含み、
前記ユニット構造体は、所望の水処理能力に応じて施工現場に複数設置されていることを特徴とする水処理装置。
【請求項２】
前記ユニット構造体それぞれの透過水処理能力が２０ｍ３／ｈ以上であることを特徴とする請求項１に記載の水処理装置。
【請求項３】
前記濾過膜モジュールで処理された処理水は、高圧ポンプを介して直接に前記逆浸透膜モジュールに供給されることを特徴とする請求項１又は２に記載の水処理装置。
【請求項４】
複数の前記ユニット構造体は、前記施工現場に並列に設置されており、
前記各ユニット構造体を通る前記被処理水の流路は、前記ユニット構造体毎にそれぞれ独立していることを特徴とする請求項１〜３のいずれか一項に記載の水処理装置。
【請求項５】
複数の前記ユニット構造体は、前記施工現場に鉛直方向に積層されており、
前記各ユニット構造体を通る前記被処理水の流路は、前記ユニット構造体毎にそれぞれ独立していることを特徴とする請求項１又は２記載の水処理装置。
【請求項６】
前記ユニット構造体は、前記逆浸透膜モジュールから排出される濃縮水を移送する濃縮水移送管と、前記濾過膜モジュールの出口側に接続され、前記濾過膜モジュールに逆洗水を送り込む逆洗水移送管と、を有し、
複数の前記ユニット構造体それぞれの前記濃縮水移送管に接続されて前記濃縮水を集約すると共に、複数の前記ユニット構造体それぞれの前記逆洗水移送管に接続され、集約された前記濃縮水を複数の前記逆洗水移送管の少なくとも一つに逆洗水として供給する濃縮水集約ラインを更に備えることを特徴とする請求項３記載の水処理装置。
【請求項７】
前記濾過膜モジュールの濾過液が全て前記逆浸透膜モジュールに供給される請求項１〜６のいずれか一項に記載の水処理装置。
【請求項８】
前記水処理部が搬送可能な枠体に収められていることを特徴とする請求項１〜７のいずれか一項に記載の水処理装置。
【請求項９】
前記搬送可能な枠体内には作業通路が設けられている請求項８に記載の水処理装置。
【請求項１０】
前記搬送可能な枠体内に、前記濾過膜モジュールが、濾過膜モジュール全長／枠体内部高さ＝９０％以下で設置される請求項８又は９に記載の水処理装置。
【請求項１１】
前記搬送可能な枠体内の前記濾過膜モジュールを枠体の高さ方向に平行に設置し、前記逆浸透膜モジュールを枠体の高さ方向と垂直に設置する請求項８〜１０のいずれか一項に記載の水処理装置。
【請求項１２】
前記搬送可能な枠体内に前記濾過膜モジュールのバルブユニットと前記逆浸透膜モジュールのバルブユニットとを共に備える請求項８〜１１のいずれか一項に記載の水処理装置。
【請求項１３】
前記搬送可能な枠体の内壁を利用して前記濾過膜モジュール及び／又は前記逆浸透膜モジュールを固定する請求項８〜１２のいずれか一項に記載の水処理装置。
【発明の詳細な説明】
【技術分野】
【０００１】
本発明は、被処理水を濾過して処理水を生成する水処理装置に関する。
【背景技術】
【０００２】
河川水、湖沼水または地下水等の原水から濾過膜を利用して処理水を生成する水処理装置は、従来から知られている。例えば、特許文献１には、濾過膜を備えた水処理装置が開示されている。この種の水処理装置では、目的の性能や敷地面積などに応じて全体のレイアウトや規格等の設計が行われ、施設を施工する際には、現場敷地内に資材や各種部品などを運び込み、現場でそれらを組み上げて完成させるのが一般である。
【先行技術文献】
【特許文献】
【０００３】
【特許文献１】特開２００３−２６６０７１号公報
【発明の概要】
【発明が解決しようとする課題】
【０００４】
しかしながら、従来の水処理装置では、各種設備やタンク類等を単体機器毎に地上に安定して据え付け、それらを連結すべく配管を行う必要があるため、現場での施工性が悪く、施工に要する時間が長くなって作業負担が大きい。また、水処理装置が不要となる際に、濾過膜、タンク類及び配管などの取り外し作業等が大変であり、例えば機器の吊り上げ時や搬送作業中の破損等が考えられるため養生が必要な場合もあり、撤去作業が容易ではない。従って、被処理水の増減に応じて所望の水処理能力を有する水処理装置を施工する際に、設置作業及び撤去作業を容易に行えないといった問題があった。それにより、要求に応じた設置面積の増減も容易にはできなかった。
また、従来の水処理装置では、運転トラブルの際に濾過膜モジュール及び逆浸透膜モジュール全ての濾過処理を停止せざるを得ず、安定的な処理水の供給ができないという問題が生じていた。
加えて、従来の水処理装置を洗浄する際は、装置内の各モジュール全体を洗浄する必要があり、安定的な処理水の供給ができないという問題が生じていた。【０００５】
本発明は、以上の課題を解決することを目的としており、所望の水処理能力に応じて施工現場での設置作業及び撤去作業を容易に行い、かつ、運転トラブルの際においても、装置全体を停止することなく安定的に処理水を供給することができる水処理装置を提供することを目的とする。
【課題を解決するための手段】
【０００６】
本発明は、被処理水を濾過して処理水を生成する水処理装置において、搬送可能なベースと、そのベース上に搭載され被処理水を濾過して処理水を生成する水処理部とから構成されるユニット構造体を備え、水処理部は濾過膜モジュールと逆浸透膜モジュールとを含み、ユニット構造体は、所望の水処理能力に応じて施工現場に複数設置されていることを特徴とする。【０００７】
本発明では、搬送可能なベースに水処理部が搭載されたユニット構造体となっているので、水処理部を事前に組み立てて施工現場に搬送することで、水処理施設の主要な構造を簡単に施工現場に構築できる。そして、被処理水の濾過等といった水処理を実施する水処理部をユニット構造体毎に具備しているため、ユニット構造体の設置数によって水処理能力を変更できる。これにより、例えば被処理水の処理量が増大した場合には、ユニット構造体を施工現場に搬送して追加設置し、被処理水の処理量が減少した場合には、ユニット構造体を施工現場から撤去すればよい。また、ユニット構造体を複数備えることにより運転トラブルの際に濾過膜モジュール及び逆浸透膜モジュールを含むユニット構造体全体を停止することなく、安定的に処理水を供給することができる。
加えて、装置内の各モジュール全体を洗浄する必要がなくなり、一部のユニット構造体を洗浄しながら他のユニット構造体で濾過運転を継続できるため安定的な処理水の供給ができる。また、処理要求に応じた設置面積の増減を容易にできる。
このように、水処理部を有するユニット構造体の増減を容易に行うことができるので、所望の水処理能力に応じて施工現場での設置作業及び撤去作業を容易に行うことが可能となる。【０００８】
前記ユニット構造体を複数備えた水処理装置においては、例えば移送ポンプ、逆洗設備、計装設備等もユニット構造体の数だけ必要なため、水処理量が増大するとそれに応じて設置面積も増大する場合がある。
そこで透過処理能力を所定値以上であるユニット構造体を用いることで、当該課題を解決することができた。前記ユニット構造体それぞれの透過水処理能力が２０ｍ３／ｈ以上であることが好ましく、３０ｍ３／ｈ以上であることがさらに好ましい。搬送可能なベース上での作業性及びメンテナンスの容易性から７５ｍ３／ｈ以下が好ましく、６０ｍ３／ｈ以下がより好ましい。このようにすれば、従来の単床式イオン交換樹脂塔と比べて処理水の処理能力を大幅にアップすることが可能となり、処理水の水量が同じである場合、従来より装置をコンパクトすることができる。また、従来水処理装置と比較して設置に必要な面積を小さくすることができる。水処理装置がコンパクトであるので、小規模水処理プラントに好適であるばかりか、透過処理能力が所定値以上であることによって、設置台数を多くしなくとも大規模水処理プラントでも適用できる。また、従来から搬送可能なベースの上に水処理装置を設置することは知られている。しかし、その多くは小規模又は仮設等臨時で使用されるものであり、大規模・恒久的な使用の場合、通常建屋内に水処理装置の一部又は全部を設置するのが一般的であった。しかしながら、本願発明によれば、搬送可能でありながらベース面積あたりの水処理能力が高いため、搬送体の台数も少なく、かつ建屋を設置することなく大規模で恒久的な搬送可能なベースを備えた水処理装置を提供できる。
さらに、水処理部は、濾過膜モジュールと逆浸透膜モジュールとを有し、濾過膜モジュールで処理された処理水は、高圧ポンプを介して直接に逆浸透膜モジュールに供給されると好適である。この構成では、濾過膜モジュールと逆浸透膜モジュールとを有するので、例えば砂濾過等に比べて処理水の水質の向上と省スペース化とを図り易くなる。また、逆浸透膜モジュールの目詰まりを濾過膜モジュールによって抑止できるので、安定した運転を図ることが可能となる。さらに、濾過膜モジュールと逆浸透膜モジュールとの間に、一時的に処理水を蓄えておく中間タンクなどは介在しないので、省スペース化に有効である。【０００９】
さらに、複数の前記ユニット構造体は、施工現場に並列に設置されており、各ユニット構造体を通る被処理水の流路は、ユニット構造体毎にそれぞれ独立していると好適である。水処理部は、濾過膜モジュールの洗浄（逆洗）を実施する際に、数分程度運転を停止しなければならない。そこで、上記のような構成とし、例えばユニット構造体毎に濾過膜モジュールの洗浄の時間をずらすことで、一のユニット構造体に搭載された水処理部が運転を停止した場合であっても、他のユニット構造体に搭載された水処理部は運転を継続することができる。従って、継続的な処理水の供給が可能となる。【００１０】
また、複数のユニット構造体は、施工現場に鉛直方向に積層されており、各ユニット構造体を通る被処理水の流路は、ユニット構造体毎にそれぞれ独立していることが好適である。このようにすれば、施工現場の敷地面線が狭い場合であっても、ユニット構造体を鉛直方向に積層することにより、ユニット構造体の数を増やし、設置面積あたりの水処理能力を高めることができる。【００１１】
さらに、ユニット構造体は、逆浸透膜モジュールから排出される濃縮水を移送する濃縮水移送管と、濾過膜モジュールの出口側に接続され、濾過膜モジュールに逆洗水を送り込む逆洗水移送管と、を有し、複数のユニット構造体それぞれの濃縮水移送管に接続されて濃縮水を集約すると共に、複数のユニット構造体それぞれの逆洗水移送管に接続され、集約された濃縮水を複数の逆洗水移送管の少なくとも一つに逆洗水として供給する濃縮水集約ラインを更に備えると好適である。逆浸透膜モジュールから排出される濃縮水は、一般的に廃水として処理されている。しかしながら、この濃縮水は、既に濾過膜モジュールによって処理された後の処理水であるため、濾過膜モジュールの逆洗水として利用可能である。上記構成によれば、濃縮水集約ラインを備えるので、各逆浸透膜モジュールから排出される濃縮水を集約して濾過膜モジュールの逆洗水として利用できるので、逆浸透膜モジュールから排出された濃縮水を有効利用でき、逆洗のための液体を準備する必要がなくなって、コストの削減に有効である。【００１２】
本発明に係る水処理装置において、濾過膜モジュールの濾過液が全て逆浸透膜モジュールに供給されることが好適である。この場合にあっては、処理水の処理能力を確保することができる。【００１３】
本発明に係る水処理装置において、水処理部が搬送可能な枠体に収められていることが好適である。このように水処理部が搬送可能な枠体に収められている場合、騒音の外部への漏れを抑制することができると共に、紫外線による水処理部へのダメージを防止することができる。また、風雨対策や装置の美観性の向上を図ることができる。【００１４】
本発明に係る水処理装置において、搬送可能な枠体内には作業通路が設けられていることが好適である。この場合にあっては、装置運転中のメンテナンスが簡便になる。【００１５】
本発明に係る水処理装置において、搬送可能な枠体内に、濾過膜モジュールが、濾過膜モジュール全長／枠体内部高さ＝９０％以下で設置されることが好適である。この場合にあっては、ヘッダ配管を曲げることなく枠体内に濾過膜モジュールをコンパクトに設置可能であるため、水処理装置全体の大きさもコンパクトにできる。なお、濾過膜モジュールが、濾過膜モジュール全長／枠体内部高さ＝８５％以下で設置されることが好ましく、８０％以下で設置されることがより好ましい。【００１６】
本発明に係る水処理装置において、搬送可能な枠体内の濾過膜モジュールを枠体の高さ方向に平行に設置し、逆浸透膜モジュールを枠体の高さ方向と垂直に設置することが好適である。この場合にあっては、枠体の作業スペースを確保しながら密にモジュールを充填できる方法としてコンパクト化に最適である。【００１７】
本発明に係る水処理装置において、搬送可能な枠体内に濾過膜モジュールのバルブユニットと逆浸透膜モジュールのバルブユニットとを共に備えることが好適である。この場合にあっては、制限された範囲内において濾過膜モジュールと逆浸透膜モジュールとを高圧ポンプを介して直結することを実現できる。ここで、濾過膜モジュールのバルブユニットとは、例えば、原水、逆洗水、洗浄水、濾過水、原水戻り、エア、排水それぞれの流路切り替えバルブ及び／又は流量調節弁と、圧力、流量、温度を検出する計装品を備えたユニットを言う。逆浸透膜モジュールのバルブユニットとは、例えば、原水、透過水、濃縮水、洗浄水それぞれの流路切り替えバルブ及び／又は流量調節弁と、圧力、流量を検出する計装品を備えたユニットを言う。【００１８】
本発明に係る水処理装置において、搬送可能な枠体の内壁を利用して濾過膜モジュール及び／又は逆浸透膜モジュールを固定することが好適である。この場合にあっては、モジュール交換や糸切れ検査等の作業スペース確保が容易になる。ここで、前記「内壁」とは、搬送可能な枠体内部の壁、天井、床を含む。
【発明の効果】
【００１９】
本発明によれば、所望の水処理能力に応じて施工現場での設置作業及び撤去作業を容易に行うことができる。
【図面の簡単な説明】
【００２０】
【図１】本発明の実施形態に係る水処理装置の外観を示す斜視図である。
【図２】水処理装置のブロックの内部構成を示す斜視図である。
【図３】水処理装置の各ブロックの配置と液体の流れ方向を模式的に示す図である。
【図４】各ＭＦ膜モジュールの逆洗のタイミングを示すタイムチャートである。
【図５】水処理装置を構成するブロックを搬送している状態を示す斜視図である。
【図６】各ブロックの制御を示す概略模式図である。
【図７】上下２段に積層された水処理装置を示す斜視図である。
【発明を実施するための形態】
【００２１】
以下、本発明の好適な実施形態について図面を参照しながら説明する。図１は、本発明の実施形態に係る水処理装置の外観を示す斜視図である。また、図２は、水処理装置のブロックの内部構成を示す斜視図であり、図３は、水処理装置の各ブロックの配置と液体の流れ方向を模式的に示す図である。
【００２２】
図１に示されるように、本実施形態に係る水処理装置１は、複数のブロック（ユニット構造体）２ａ〜２ｃと、ユニットブロック３とが設置されて構築されている。ブロック２ａ〜２ｃは、並設されており、ユニットブロック３は、ブロック２ａ〜２ｃに対して被処理水が流動する上流側に設置されている。各ブロック２ａ〜２ｃの一端側（被処理水が供給される上流側）とユニットブロック３とは、被処理水を移送する各移送管４ａ〜４ｃを介してそれぞれ連絡されている。また、各ブロック２ａ〜２ｃの他端側（二次処理水が排出される下流側）から延び、二次処理水を移送する移送管５ａ〜５ｃは、１本の移送管６に集約されている。つまり、各ブロック２ａ〜２ｃを通る被処理水の流路は、各ブロック２ａ〜２ｃ毎にそれぞれ独立している。各ブロック２ａ〜２ｃは、被処理水を濾過して二次処理水（処理水）とする独立した機能をそれぞれ有している。
【００２３】
図１及び図２に示されるように、ブロック２ａ〜２ｃは、コンテナ（枠体）７ａ〜７ｃと、コンテナ７ａ〜７ｃ内に設置された水処理部８ａ〜８ｃとを備えている。
【００２４】
コンテナ７ａは、通常貨物輸送に使われる箱状のものであり、コンテナ７ａの底部となる板状のベース９ａと、ベース９ａを壁構造によって直方体状に囲うカバー１０ａとから構成されている。コンテナの全長は、約６ｍ（２０フィート）となっている。また、コンテナには、断熱塗料が施されている。カバー１０ａには、扉１１が取り付けられている。なお、コンテナの全長は、約１２ｍ（４０フィート）の態様であってもよい。
【００２５】
コンテナ７ｂ，７ｃもコンテナ７ａと同様の構成からなり、コンテナ７ｂ，７ｃの底部となる板状のベース９ｂ，９ｃと、ベース９ｂ，９ｃを壁構造によって直方体状に囲うカバー１０ｂ，１０ｃとから構成されている。
【００２６】
水処理部８ａ〜８ｃは、図２及び図３に示されるように、ＭＦ（精密濾過）膜を組み込んだ複数のＭＦ膜モジュール１２ａ〜１２ｃと、ＲＯ（逆浸透）膜を組み込んだ複数のＲＯ膜モジュール１３ａ〜１３ｃを有している。
【００２７】
水処理部８ａを例にして具体的に説明する。複数のＭＦ膜モジュール１２ａのうち、例えば、或る一つのＭＦ膜モジュール１２ａは、上流側（被処理水側）のヘッダ管に枝管を介して接続され、また、下流側（一次処理水側）のヘッダ管に枝管を介して接続されている。他のＭＦ膜モジュール１２ａも同様に、上流側（被処理水側）及び下流側（一次処理水側）のヘッダ管に枝管を介して接続されており、複数のＭＦ膜モジュール１２ａ全体でＭＦ膜ユニットを構成している。また、複数のＲＯ膜モジュール１３ａのうち、例えば、或る一つのＲＯ膜モジュール１３ａは、上流側（一次処理水側）のヘッダ管に枝管を介して接続され、また、下流側（二次処理水側）のヘッダ管に枝管を介して接続されている。他のＲＯ膜モジュール１３ａも同様に、上流側（一次処理水側）及び下流側（二次処理水側）のヘッダ管に枝管を介して接続されており、複数のＲＯ膜モジュール１３ａ全体でＲＯ膜ユニットを構成している。
【００２８】
ＭＦ膜モジュール１２ａの下流側のヘッダ管とＲＯ膜モジュール１３ａの上流側のヘッダ管とは、高圧ポンプ１４ａを介して直列に接続されるように、移送管１５ａが組み付けられている。その結果、ＭＦ膜モジュール１２ａとＲＯ膜モジュール１３ａとの間に中間タンクは介在せず、ＭＦ膜モジュール１２ａから排出された一次処理水は、直接にＲＯ膜モジュール１３ａに供給されるようになる。
【００２９】
また、複数のＲＯ膜モジュール１３ａは、濃縮水用のヘッダ管に接続されている。そして、このヘッダ管には、濃縮水を移送する濃縮水移送管１９ａが組み付けられている。この濃縮水移送管１９ａは、図３に示されるように、２分岐されている。濃縮水移送管１９ａの一方は、後述する濃縮水集約ライン２１を介して、移送管１５ａに組み付けられた逆洗水移送管２０ａに接続されている。逆洗水移送管２０ａは、ＭＦ膜モジュール１２ａ内に逆洗水（ＲＯ濃縮水）を送り込むための管である。逆洗水移送管２０ａは、ＭＦ膜モジュール１２ａの下流側のヘッダ管に対して、逆洗水を圧送するためのポンプ２２ａと、逆洗水の流量を制御するバルブ２３ａとが設けられている。また、濃縮水移送管１９ａの他方は、濃縮水の排出量を制御するバルブ２４ａが設けられており、濃縮水を図示しない排水タンクに排出するようになっている。
【００３０】
さらに、図３に示されるように、ＭＦ膜モジュール１２ａの上流側（被処理水側）のヘッダ管の各枝管には、エアスクラビング用の空気を移送する空気移送管２５ａが組み付けられている。また、ＭＦ膜モジュール１２ａ内における膜エレメントよりも上流側の領域には、逆洗時に膜エレメントから剥落されて領域内に溜まった汚濁物質（不純物）を含む廃水を移送する廃水移送管２６ａが組み付けられている。廃水移送管２６ａには、廃水の排出量を制御するバルブ２７ａが設けられている。空気移送管２５ａの詳細は後述する。
【００３１】
水処理部８ｂ，８ｃも水処理部８ａと同様の構成からなり、ＭＦ膜モジュール１２ｂ，１２ｃの下流側のヘッダ管とＲＯ膜モジュール１３ｂ，１３ｃの上流側のヘッダ管とは、高圧ポンプ１４ｂ，１４ｃを介して直列に接続されるように、移送管１５ｂ，１５ｃが組み付けられている。その結果、ＭＦ膜モジュール１２ｂ，１２ｃとＲＯ膜モジュール１３ｂ，１３ｃとの間に中間タンクが介在することなく、ＭＦ膜モジュール１２ｂ，１２ｃから排出された一次処理水は、直接にＲＯ膜モジュール１３ｂ，１３ｃに供給されるようになる。
【００３２】
ＲＯ膜モジュール１３ｂ，１３ｃは、濃縮水用のヘッダ管に接続されている、そして、このヘッダ管には、濃縮水を移送する濃縮水移送管１９ｂ，１９ｃが組み付けられている。この濃縮水移送管１９ｂ，１９ｃの一方は、濃縮水集約ライン２１を介して、移送管１５ｂ，１５ｃに連通するように組み付けられた逆洗水移送管２０ｂ，２０ｃと連通している。逆洗水移送管２０ｂ，２０ｃは、ＭＦ膜モジュール１２ａの下流側のヘッダ管に対して、逆洗水（ＲＯ濃縮水）を圧送するためのポンプ２２ｂ，２０ｃと、逆洗水の流量を制御するバルブ２３ｂ，２３ｃとが設けられている。また、濃縮水移送管１９ｂ、１９ｃの他方は、濃縮水の排出量を制御するバルブ２４ｂ、２４ｃが設けられている。
【００３３】
また、図３に示されるように、ＭＦ膜モジュール１２ｂ，１２ｃの上流側（被処理水側）のヘッダ管の各枝管には、エアスクラビング用の空気を移送する空気移送管２５ｂ，２５ｃが組み付けられている。また、ＭＦ膜モジュール１２ｂ，１２ｃ内における膜エレメントよりも上流側の領域には、逆洗時に膜エレメントから剥落されて領域内に溜まった汚濁物質を含む廃水を移送する廃水移送管２６ｂ，２６ｃが組み付けられている。廃水移送管２６ｂ，２６ｃには、廃水の排出量を制御するバルブ２７ｂ，２７ｃが設けられている。
【００３４】
また、ブロック２ａには、ＭＦ膜モジュール１２ａに配水するための低圧ポンプ１６ａと、ＭＦ膜モジュール１２ａと高圧ポンプ１４ａとの間に設けられたバルブ１７ａと、高圧ポンプ１４ａ、低圧ポンプ１６ａ及びバルブ１７ａの駆動制御する制御盤１８ａとが装備されている。低圧ポンプ１６ａ、バルブ１７ａ及び制御盤１８ａも水処理部８ａの一部を構成する。同様の構成が、ブロック２ｂ，２ｃにも装備されており、低圧ポンプ１６ｂ，１６ｃ、バルブ１７ａ，１７ｂ及び制御盤１８ａ，１８ｂも水処理部８ｂ，１８ｃの一部を構成する。
【００３５】
図１に戻って、水処理装置１は、上述の濃縮水集約ライン２１を備えている。濃縮水集約ライン２１は、濃縮液移送管１９ａ〜１９ｃ及び逆洗水移送管２０ａ〜２０ｃに接続されている。従って、濃縮液移送管１９ａ〜１９ｃ及び逆洗水移送管２０ａ〜２０ｃは、濃縮水集約ライン２１を介して連通している。具体的には、濃縮水移送管１９ａ及び逆洗水移送管２０ａは、コンテナの壁を貫通して濃縮水集約ライン２１と連通している。以上の構成により、各ＲＯ膜モジュール１３ａ〜１３ｃから排出される濃縮水は、濃縮水集約ライン２１に集約される。その結果、各ＲＯ膜モジュール１３ａ〜１３ｃから排出される濃縮水をＭＦ膜モジュール１２ａ〜１２ｃの逆洗水として利用できる。
【００３６】
また、ユニットブロック３は、上述のように、各移送管４ａ〜４ｃを介して各ブロック２ａ〜２ｃと連絡されている。具体的には、図３に示す貯留タンク３６（後述）の下流側とユニットブロック３の上流側とが前処理水を移送するための１本の移送管２８を介して連絡されており、この移送管２８がユニットブロック３内で各移送管４ａ〜４ｃに３分岐され、各ブロック２ａ〜２ｃに接続されている。また、ユニットブロック３には、図３に示されるように、圧縮空気を送出するエアポンプ２９と、エアポンプ２９から送出された圧縮空気を蓄えるチャンバ３０と、チャンバ３０から排出された圧縮空気を減圧調整する減圧バルブ３１とが装備されている。エアポンプ２９、チャンバ３０及び減圧バルブ３１には、空気移送管２５ｄが組み付けられている。
【００３７】
空気移送管２５ｄは、ユニットブロック３内において空気移送管２５ａ〜２５ｃに３分岐されている。空気移送管２５ａは、ブロック２ａのＭＦ膜モジュール１２ａの下流側のヘッダ管の各枝管とチャンバ３０とを連絡する管である。この空気移送管２５ａには、空気の送出量を制御するバルブ３２ａが設けられている。なお、図１には示していないが、空気移送管２５ａは、各ブロック２ａのコンテナの壁を貫通してＭＦ膜モジュール１２ａに組み付けられている。また、空気移送管２５ｂ，２５ｃも空気移送管２５ａと同様に、空気の送出量を制御するバルブ３２ｂ，３２ｃが設けられている。
【００３８】
さらに、ユニットブロック３には、中央処理装置３３が装備されている。中央処理装置３３は、各ブロック２ａ〜２ｃに個別に設けられている制御盤１８ａ〜１８ｃを統括的に管理する。すなわち、中央処理装置３３は親局に相当し、制御盤１８ａ〜１８ｃは子局に相当する。また、中央処理装置３３は、水処理装置１に設けられたバルブ２３ａ〜２３ｃ，２４ａ〜２４ｃ，２７ａ〜２７ｃ，３２ａ〜３２ｃ，４２ａ〜４２ｃ及びポンプ２２ａ〜２２ｃ，２９，４０，４１の制御も一元管理し、制御盤１８ａ〜１８ｃ、バルブ２３ａ〜２３ｃ，２４ａ〜２４ｃ，２７ａ〜２７ｃ，３２ａ〜３２ｃ，４２ａ〜４２ｃ及びポンプ２２ａ〜２２ｃ，２９，４０，４１と一本の配線（図３の点線）で結ばれている。さらに、中央処理装置３３では、図示しないセンサ等から流量、温度、圧力又は水位レベル等の運転状態を把握するためのデータを取得し、取得したデータに基づいて制御して、水処理装置１の最適な運転環境を形成する。
【００３９】
次に、図３を参照しながら、水処理装置１による水処理について処理フローに沿って説明する。なお、本実施形態では、処理水としてボイラー用水を生成する場合を例に説明するため、原水は水道水となる。図３において、水処理装置１は、上記複数のブロック２ａ〜２ｃ、ユニットブロック３及び濃縮水集約ライン２１に加えて、被処理水となる原水を貯留する原水タンク３４と、原水の不純物を除去する活性炭前処理塔３５と、活性炭処理された前処理水を貯留する貯留タンク３６と、ＲＯ膜モジュール１３ａ〜１３ｃで処理された二次処理水を貯留する貯留タンク３７と、貯留タンク３７の二次処理水を純水にするイオン交換樹脂塔３８と、純水を貯留する純水タンク３９とが設置されている。また、原水タンク３５及び活性炭前処理塔３６の間には、原水を汲み上げるポンプ４０、貯留タンク３７及びイオン交換樹脂塔３８の間には、第１処理水を汲み上げるポンプ４１が設けられている。以下、ブロック２ａを例に、水処理について具体的に説明する。
【００４０】
図３に示されるように、まず原水タンク３４からポンプ４０によって原水が活性炭前処理塔３５に汲み上げられ、この活性炭前処理塔３５を通過した前処理水が貯留タンク３６に貯留される。そして、ブロック２ａでは、移送管４ａのバルブ４２ａが開放されると、低圧ポンプ１６ａが駆動して貯留タンク３６から前処理水を汲み上げてＭＦ膜モジュール１２ａの上流側のヘッド管に低圧で圧送する。
【００４１】
次に、ＭＦ膜モジュール１２ａを通過した一次処理水は、ＭＦ膜モジュール１２ａの下流側のヘッダ管から高圧ポンプ１４ａに向けて排出され、この高圧ポンプ１４ａによってＲＯ膜モジュール１３ａの上流側のヘッダ管まで１．０〜１．５ＭＰａの高圧で圧送される。そして、ブロック２ａのＲＯ膜モジュール１３ａを通過した二次処理水は、移送管５ａ及び移送管６を介して貯留タンク３７に集約されて貯留される。その後、貯留タンク３７からポンプ４１によって二次処理水がイオン交換樹脂塔３８に汲み上げられ、このイオン交換樹脂塔３８を通過した純水が純水タンク３９に貯留される。純水タンク３９に貯留される純水は、電気伝導率が例えば１０μＳ／ｃｍとなっている。以上のように、ブロック２ａにおいて水処理が行われる。ブロック２ｂ、２ｃにおいても、ブロック２ａと同様の手順によって水処理が行われる。
【００４２】
続いて、図３を参照しながら、ＭＦ膜モジュール１２ａ〜１２ｃの逆洗について説明する。ＭＦ膜モジュール１２ａ〜１２ｃの逆洗は、ＭＦ膜の表面に吸着又は沈着し、ＭＦ膜の濾過抵抗を高める不純物を除去するために行われる。以下では、ブロック２ａにおけるＭＦ膜モジュール１２ａを例にして逆洗について具体的に説明する。
【００４３】
まず、各濃縮水移送管１９ａ〜１９ｃの排水口側に設けられた全てのバルブ２４ａ〜２４ｃ及び移送管１５ａに設けられたバルブ１７ａを閉じると共に、逆洗水移送管２０ａに設けられたバルブ２３ａを開放する。次に、バルブ２４ａ〜２４ｃを閉じたことによりＲＯ膜モジュール１３ｂ，１３ｃから濃縮水集約ライン２１に集約された濃縮水を、ポンプ２２ａによって移送管１５ａに集中して送り込む。このとき、バルブ２３ａが開放されており、且つバルブ１７ａが閉じているので、濃縮水は各ＭＦ膜モジュール１２ａ内に下流側のヘッダ管から送り込まれることになる。
【００４４】
そして、濃縮水と同時に、バルブ３２ａを開放することにより、チャンバ３０から空気移送管２５ａを介してＭＦ膜モジュール１２ａの上流側のヘッダ管の枝管に空気が１分程度送り込まれる。濃縮水による逆洗作用と空気泡によるスクラビング作用とによって、ＭＦ膜の表面に吸着した不純物は剥落する。ここで、チャンバ３０内の空気圧は、エアポンプ２９によって７Ｋｇｆ／ｃｍ２程度に設定されており、このチャンバ３０から放出された空気は、減圧バルブ３１によって調整され減圧されることにより、上記のＭＦ膜モジュール１２ａに２Ｋｇｆ／ｃｍ２程度で送り込まれる。
【００４５】
濃縮水と空気とをＭＦ膜モジュール１２ａに送り込んだ後、バルブ３２ａを閉めてチャンバ３０からの空気の送出を停止すると共に、ＭＦ膜モジュール１２ａに組み付けられた移送管２６ａのバルブ２７ａを開放し、さらに、移送管４ａからの前処理水を１分程度送り込む。これにより、剥落した不純物をＭＦ膜モジュール１２ａ内から外部に排出する。以上のようにして、ＭＦ膜モジュール１２ａの逆洗が行われる。ＭＦ膜モジュール１２ｂ，１２ｃについても、同様の手順で逆洗が行われる。
【００４６】
ここで、本実施形態では、ＭＦ膜モジュール１２ａ〜１２ｃの逆洗の時間を各ブロック毎にずらしている。図４は、各ＭＦ膜モジュール１２ａ〜１２ｃの逆洗のタイミングを示すタイムチャートである。同図に示すように、各ブロック２ａ〜２ｃに装備された各ＭＦ膜モジュール１２ａ〜１２ｃは、３０分周期でそれぞれ逆洗が実施される。
【００４７】
具体的には、図４（ｃ）に示すように、例えばブロック２ａのＭＦ膜モジュール１２ａにおいて、濃縮水及び空気による洗浄（ＡＳ／ＢＷ）が１分行われ、その後濃縮水による不純物の排出（Ｆ）が１分行われると、図４（ｂ）に示すように、その８分後にブロック２ｂのＭＦ膜モジュール１２ｂの逆洗が同様に行われる。そして、その８分後に、図４（ａ）に示すように、ブロック２ｃのＭＦ膜モジュール１２ｃの逆洗が行われる。この処理を繰り返すことで、各ＭＦ膜モジュール１２ａ〜１２ｃでは、３０分周期で逆洗が実施されることになる。
【００４８】
次に、水処理装置１の施工方法について説明する。施工現場の敷地内に水処理装置１を構築する際には、現場から離れた工場でブロック２ａ〜２ｃが予め製造される。図５に示されるように、各ブロック２ａ〜２ｃは、完成後にトラック等の搬送手段４３で現場まで搬送される。
【００４９】
図１に示されるように、施工現場では、地上にブロック２ａ〜２ｃが据え付けられる。このブロック２ａ〜２ｃは、所望する水処理能力（被処理水の量）に応じて、据え付けられる数が適宜変更される。各ブロック２ａ〜２ｃは、所定のスペースを空けて並設されている。このとき、各ブロック２ａ〜２ｃは、長手方向が同方向となるように設置される。
【００５０】
また、ユニットブロック３は、各ブロックに対して直行する方向に長手方向を向けて設置され、さらに、ユニットブロック３と各ブロック２ａ〜２ｃとの間には、所定のスペースが形成されている。以上により各ブロック２ａ〜２ｃ及びユニットブロック３が配置される。
【００５１】
各ブロック２ａ〜２ｃ及びユニットブロック３を据え付けて固定する際に同時に、又は、据え付けが完了した後に、各移送管４ａ〜４ｃ及び濃縮水集約ライン２１が各ブロック２ａ〜２ｃ及びユニットブロック３に接続される。また、ユニットブロック３と貯留タンク３６との間を移送管２８によって接続し、各ブロック２ａ〜２ｃと貯留タンク３７との間を移送管６によって接続する。以上のように、図１に示される水処理装置１が施工される。
【００５２】
以下、ブロック２ａを例にしてブロック毎の制御について具体的に説明する。なお、ブロック２ｂ、２ｃの制御はブロック２ａと同様であるため、重複説明を省略する。
【００５３】
図６は、各ブロックの制御を示す概略模式図である。図６に示すように、ＭＦ膜モジュール１２ａと高圧ポンプ１４ａとの間には、移送管１５ａ内を流れる第一次処理水の流量を測定する流量計４４ａと、高圧ポンプ１４ａの吸い込み側の圧力を検出する圧力センサ４５ａとが設けられている。流量計４４ａと圧力センサ４５ａとは、中央処理装置３３に接続され、測定した各データを中央処理装置３３に送信する。
【００５４】
また、ＲＯ膜モジュール１３ａの後方には、ＲＯ膜モジュール１３ａから流れる透過水（第二次処理水）の流量を測定するＲＯ透過水流量計４６ａが設置されている。更に、ＲＯ膜モジュール１３ａには濃縮水の排出量を制御するバルブ２４ａが直接に連結されている。ＲＯ透過水流量計４６ａは、中央処理装置３３に接続され、測定したデータを中央処理装置３３に送信する。低圧ポンプ１６ａ、高圧ポンプ１４ａ及びバルブ２４ａは、それぞれ中央処理装置３３に接続され、中央処理装置３３の制御信号を受信して各動作を実行する。
【００５５】
このように構成されたブロック２ａでは、流量制御、圧力制御、流量制御といったＭＦ−ＲＯ直結制御が行われている。具体的には、まず、流量計４４ａはＭＦ濾過水（第一次処理水）の流量を測定し、その信号を中央処理装置３３に出力する。中央処理装置３３は、流量計４４ａで測定したデータに基づいてＰＩＤ（Proportional Integral Derivative）演算を行い、その結果を出力する。なお、ＰＩＤ演算としては、例えば設定値との偏差により出力演算が挙げられる。続いて、中央処理装置３３は、ＰＩＤ演算の出力に基づいて低圧ポンプ１６ａ用インバータ周波数制御を行う。これによって、低圧ポンプ１６ａのモータ回転数制御が実行され、ＭＦ膜モジュール１２ａへの供給量が変動する。
【００５６】
圧力センサ４５ａは、高圧ポンプ１４ａの吸い込み側の圧力を検出し、その圧力信号を中央処理装置３３に出力する。中央処理装置３３は、高圧ポンプ１４ａの吸い込み側の圧力信号に基づいてＰＩＤ演算を行い、その結果を出力する。続いて、中央処理装置３３は、ＰＩＤ演算の出力に基づいて高圧ポンプ１４ａ用インバータ周波数制御を行う。これによって、高圧ポンプ１４ａのモータ回転数制御が実行され、高圧ポンプ１４ａの吐出量が変動する。
【００５７】
ＲＯ透過水流量計４６ａは、ＲＯ透過水流量を測定し、その測定信号を中央処理装置３３に出力する。中央処理装置３３は、ＲＯ透過水流量信号に基づいてＰＩＤ演算を行い、その結果を出力する。続いて、中央処理装置３３は、ＰＩＤ演算の出力に基づいてバルブ２４ａの制御を行う。従って、ＲＯ濃縮水量が変動する。これに伴い、ＲＯ透過水量が変動する。
【００５８】
例えば、ＭＦ濾過水量の設定値が２５ｍ３／ｈ、高圧ポンプ１４ａの吸い込み圧力の設定値が水柱５ｍとされた場合、高圧ポンプ１４ａの吐出量が２５ｍ３／ｈとなる。そして、ＲＯ透過水量設定値が２０ｍ３／ｈとされた場合、ＲＯ濃縮水量が５ｍ３／ｈでバランスしている。
【００５９】
高圧ポンプ１４ａの吸い込み圧力設定値水柱５ｍで安定している場合、ＭＦ膜モジュール１２ａからの押し込み流量と高圧ポンプ１４ａの引込み流量とがバランスしている。この場合、高圧ポンプ１４ａの吐出量はＭＦ膜モジュール１２ａへの供給量と同じ２５ｍ３／ｈになっている。その後、バルブ２４ａが作動し、ＲＯ透過水量２０ｍ３／ｈとＲＯ濃縮水量５ｍ３／ｈに振り分ける。
【００６０】
そして、ＭＦ膜差圧が大きくなってきた場合は、低圧ポンプ１６ａの回転数が上昇してＭＦ濾過水量設定値２５ｍ３／ｈを維持し、ＲＯ膜差圧が大きくなってきた場合は、高圧ポンプ１４ａの回転数が上昇してＲＯ透過水量設定値２０ｍ３／ｈ（ＲＯ濃縮水量５ｍ３／ｈ）を維持する。従って、高圧ポンプ１４ａの吸い込み圧力設定値水柱５ｍ（すなわち、押し込み流量と高圧ポンプ１４ａの引込み流量がバランスしている状態）は継続して安定する。これによって、ブロック２ａの安定した運転を実現することができる。
【００６１】
以上、水処理装置１によれば、搬送可能なコンテナ７ａ〜７ｃに水処理部８ａ〜８ｃが搭載（収容）されたブロック２ａ〜２ｃとなっているので、水処理部８ａ〜８ｃを事前に組み立てて施工現場に搬送することで、水処理装置１の主要な構造を簡単に施工現場に構築できる。そして、被処理水の濾過等といった水処理を実施する水処理部８ａ〜８ｃをブロック２ａ〜２ｃ毎に具備しているため、ブロック２ａ〜２ｃの設置数によって水処理能力を変更できる。これにより、例えば被処理水の処理量が増大した場合には、ブロック２ａ〜２ｃを施工現場に搬送して追加設置し、被処理水の処理量が減少した場合には、ブロック２ａ〜２ｃを施工現場から撤去すればよい。このように、水処理部８ａ〜８ｃを有するブロック２ａ〜２ｃの増減を容易に行うことができるので、所望の水処理能力に応じて施工現場での設置作業及び撤去作業を容易に行うことが可能となる。
また、ブロックなどのユニット構造体を複数備えた水処理装置においては、例えば移送ポンプ、逆洗設備、計装設備等もユニット構造体の数だけ必要なため、水処理量が増大するとそれに応じて設置面積も増大する場合がある。
そこで透過処理能力を所定値以上であるブロック２ａ〜２ｃを用いることで、当該課題を解決することができた。ブロック２ａ〜２ｃそれぞれの透過水処理能力が２０ｍ３／ｈ以上であることが好ましく、３０ｍ３／ｈ以上であることがさらに好ましい。搬送可能なベース９ａ〜９ｃ上での作業性及びメンテナンスの容易性から７５ｍ３／ｈ以下が好ましく、６０ｍ３／ｈ以下がより好ましい。このようにすれば、従来の単床式イオン交換樹脂塔と比べて処理水の処理能力を大幅にアップすることが可能となり、処理水の水量が同じである場合、従来より装置をコンパクトすることができる。また、従来水処理装置と比較して設置に必要な面積を小さくすることができる。水処理装置１がコンパクトであるので、小規模水処理プラントに好適であるばかりか、透過処理能力が所定値以上であることによって、設置台数を多くしなくとも大規模水処理プラントでも適用できる。また、従来から搬送可能なベースの上に水処理装置を設置することは知られている。しかし、その多くは小規模又は仮設等臨時で使用されるものであり、大規模・恒久的な使用の場合、通常建屋内に水処理装置の一部又は全部を設置するのが一般的であった。しかしながら、本実施形態に係る水処理装置１によれば、搬送可能でありながらベース９ａ〜９ｃの面積あたりの水処理能力が高いため、搬送体の台数も少なく、かつ建屋を設置することなく大規模で恒久的な搬送可能なベースを備えた水処理装置を提供できる。  
【００６２】
また、水処理部８ａ〜８ｃは、ＭＦ膜モジュール１２ａ〜１２ｃとＲＯ膜モジュール１３ａ〜１３ｃとを有しており、ＭＦ膜モジュール１２ａ〜１２ｃで処理された一次処理水は、高圧ポンプ１４ａ〜１４ｃを介して直接にＲＯ膜モジュール１３ａ〜１３ｃに供給される構成となっている。これにより、ＭＦ膜モジュール１２ａ〜１２ｃとＲＯ膜モジュール１３ａ〜１３ｃとにより、例えば砂濾過等に比べて処理水の水質の向上と省スペース化とを図り易くなる。また、ＲＯ膜モジュール１３ａ〜１３ｃの目詰まりをＭＦ膜モジュール１２ａ〜１２ｃによって抑止できるので、安定した運転を図ることが可能となる。さらに、ＭＦ膜モジュール１２ａ〜１２ｃとＲＯ膜モジュール１３ａ〜１３ｃとの間に、一時的に一次処理水を蓄えておく中間タンクなどは介在しないので、省スペース化に有効である。
【００６３】
また、複数のブロック２ａ〜２ｃは、施工現場に並列に設置されており、各ブロック２ａ〜２ｃを通る被処理水の流路は、ブロック２ａ〜２ｃ毎にそれぞれ独立している。水処理部８ａ〜８ｃは、ＭＦ膜モジュール１２ａ〜１２ｃの洗浄（逆洗）を実施する際に、数分程度運転を停止しなければならない。そこで、上記のような構成とし、例えばブロック２ａ〜２ｃ毎にＭＦ膜モジュール１２ａ〜１２ｃの洗浄の時間をずらすことで、ブロック２ａに搭載された水処理部８ａが運転を停止した場合であっても、ブロック２ｂ，２ｃに搭載された水処理部８ｂ，８ｃは運転を継続することができる。従って、継続的な処理水の供給が可能となる。更に、ブロック２ａの水処理部８ａの逆洗時に、水処理部２ｂ，２ｃに搭載された水処理部８ｂ，８ｃの各ポンプの運転圧力を上げることにより、処理量を低下させずに継続的に同一の処理量を確保することも可能になる。
【００６４】
また、ブロック２ａ〜２ｃは、ＲＯ膜モジュール１３ａ〜１３ｃから排出される濃縮水を移送する濃縮水移送管１９ａ〜１９ｃと、ＭＦ膜モジュール１２ａ〜１２ｃの出口側に接続され、ＭＦ膜モジュール１２ａ〜１２ｃに逆洗水を送り込む逆洗水移送管２０ａ〜２０ｃとを有している。そして、複数のブロック２ａ〜２ｃそれぞれの濃縮水移送管１９ａ〜１９ｃに接続されて濃縮水を集約すると共に、複数のブロック２ａ〜２ｃそれぞれの逆洗水移送管２０ａ〜２０ｃに接続され、集約された濃縮水を複数の逆洗水移送管２０ａ〜２０ｃの少なくとも一つに逆洗水として供給する濃縮水集約ライン２１を備えている。ＲＯ膜モジュール１３ａ〜１３ｃから排出される濃縮水は、一般的に廃水として処理されている。しかしながら、この濃縮水は、既にＭＦ膜モジュール１２ａ〜１２ｃによって処理された後の処理水であるため、ＭＦ膜モジュール１２ａ〜１２ｃの逆洗水として利用可能である。上記構成によれば、濃縮水集約ライン２１を備えるので、各ＲＯ膜モジュール１３ａ〜１３ｃから排出される濃縮水を集約してＭＦ膜モジュール１２ａ〜１２ｃの逆洗水として利用できるので、ＲＯ膜モジュール１３ａ〜１３ｃから排出された濃縮水を有効利用でき、逆洗のための液体を準備する必要がなくなって、コストの削減に有効である。
【００６５】
また、従来の水処理装置では、ＭＦ膜モジュールとＲＯ膜モジュールとがそれぞれ単独に系列分けされて設計されており、処理能力の増減を調整する場合には、ＭＦ膜モジュール及びＲＯ膜モジュールそれぞれの膜面積やレイアウト変更設計が必要となるため、処理能力を簡単に変更することが困難であった。これに対し、本実施形態に係る水処理装置１では、ブロック２ａ〜２ｃ内においてＭＦ膜モジュール１２ａ〜１２ｃとＲＯ膜モジュール１３ａ〜１３ｃとが一体で制御されているので、所望の処理能力に応じてブロック２ａ〜２ｃの数に合わせた設計変更だけでよい。従って、施工現場に設置するブロック２ａ〜２ｃの台数を変更するだけで処理（濾過）能力の増減が可能となる。
【００６６】
また、上述のように各ブロック２ａ〜２ｃ毎にＭＦ膜モジュール１２ａ〜１２ｃとＲＯ膜モジュール１３ａ〜１３ｃとが一体で制御されて運転管理されているので、管理項目が限定され、各ブロック２ａ〜２ｃの膜洗浄、膜交換、能力低下原因推定、膜寿命予測及び機器の予防保全が容易となる。
【００６７】
また、各ブロック２ａ〜２ｃが同一設計施工であるため、膜能力低下や膜破れ等の緊急対応や保全作業の管理項目が標準化し易く、効率的な運転が可能となる。
【００６８】
また、例えば一のブロックにおける処理能力が低下した場合には、複数のブロックのうち処理能力が低下した一のブロックのみを新しいブロックに入れ替えるだけでよいので、処理能力の回復を容易に行うことができる。また、処理能力が低下したブロックを洗浄専用工場に搬送し、処理能力回復を確認しながらの効率的な膜洗浄を行うことできる。
【００６９】
更に、ブロック２ａ〜２ｃが壁を有するコンテナ７ａ〜７ｃを備えているので、ブロック２ａ〜２ｃの入れ替え時の吊り上げ作業時や、搬送時におけるブロック２ａ〜２ｃ内の水処理部（ＭＦ膜モジュール１２ａ〜１２ｃ及びＲＯ膜モジュール１３ａ〜１３ｃ等）の破損を防止することが可能となる。そのため、輸出規制や管理規制のあるＭＦ膜モジュール１２ａ〜１２ｃ等も安全に輸送することができる。
【００７０】
本発明は、上記実施形態に限定されるものではない。例えば、上記実施形態では、ボイラー用水の生成のために原水として水道水を例示したが、本発明は工場廃水や家庭の汚水の処理に利用してもよく、その場合には原水は工場廃水や家庭用汚水となる。
【００７１】
また、上記実施形態では、ＭＦ膜モジュール１２ａ〜１２ｃとＲＯ膜モジュール１３ａ〜１３ｃとを有する水処理部８ａ〜８ｃがブロック２ａ〜２ｃに装備されているが、ＲＯ膜モジュール１３ａ〜１３ｃの後段に更にＲＯ膜モジュールが装備されてもよい。すなわち、ＲＯ膜ユニットを多段に構成してもよい。この場合、処理水の更なる水質の向上を図ることができる。
【００７２】
また、上記実施形態では、各ブロック２ａ〜２ｃを並設しているが、ブロック２ａ〜２ｃは、上下段に積み上げられてもよい。例えば、図７に示すように、並設されたブロック２ａ〜２ｃは、施工現場に鉛直方向に積層されて上下２段になっている。上下２段のブロック２ａ〜２ｃを通る被処理水の流路は、ブロック２ａ〜２ｃ毎にそれぞれ独立している。この場合、施工現場の敷地面線が狭い場合であっても、ブロック２ａ〜２ｃの台数を増やすことで、設置面積あたりの水処理能力を高めることができる。なお、鉛直方向に積層された場合、上述の２段に限らず、必要に応じて３段、その他の多段としてもよい。
【００７３】
また、上記実施形態では、各ブロック２ａ〜２ｃから排出されるＲＯ膜モジュール１３ａ〜１３ｃからの濃縮水を集約してＭＦ膜モジュール１２ａ〜１２ｃの逆洗に利用しているが、ブロック２ａ〜２ｃ毎に一次処理水の一部を逆洗チャンバに蓄え、逆洗チャンバ内を加圧して逆洗チャンバ内の一次処理水をＭＦ膜モジュール１２ａ〜１２ｃの逆洗に利用してもよい。また、濾過膜は精密濾過膜のほか、限外濾過膜も適用される。
【符号の説明】
【００７４】
１  水処理装置
２ａ〜２ｃ  ブロック（ユニット構造体）
８ａ〜８ｃ  水処理部
９ａ〜９ｃ  ベース
１２ａ〜１２ｃ  ＭＦ膜モジュール（精密濾過膜モジュール）
１３ａ〜１３ｃ  ＲＯ膜モジュール（逆浸透膜モジュール）
１４  高圧ポンプ
１９ａ〜１９ｃ  濃縮水移送管
２０ａ〜２０ｃ  逆洗水移送管
２１  濃縮水集約ライン。
【図１】
2010084961.tif 000003
【図２】
2010084961.tif 000004
【図３】
2010084961.tif 000005
【図４】
2010084961.tif 000006
【図５】
2010084961.tif 000007
【図６】
2010084961.tif 000008
【図７】
2010084961.tif 000009
【国際調査報告】
2010084961.tif 000010
2010084961.tif 000011
2010084961.tif 000012
2010084961.tif 000013